(57)【要約】      （修正有）【課題】平面的、立体的な装飾の如何を問わず適用可能で、既存の杖等の棒状部材に対して、ユーザが簡単な操作で着脱でき、棒状部材の使用時においては装着のずれ落ちを防止でき、しかも、着脱のための部品構成を簡素化して製造コストも低減可能な着脱式装飾具を提供する。【解決手段】棒状部材２０に着脱可能に形成された第１の着脱部１１及び第２の着脱部１２と、その両端を第１の着脱部１１と第２の着脱部１２とに接続された装飾部材１３と、からなり、第１の着脱部１１及び第２の着脱部１２は、夫々、棒状部材２０の外周面を覆い、その内径が該外周面における棒状部材２０の径以下の長さを有し、且つ、その両端部の間隔が棒状部材２０を通過させることが可能な長さに変化するように形成された、弾性変形可能な円弧状クリップ部材からなる。【選択図】図１
0003195075.tif 000002
【実用新案登録請求の範囲】
【請求項１】
棒状部材に着脱可能に形成された第１の着脱部及び第２の着脱部と、
その両端を前記第１の着脱部と前記第２の着脱部とに接続された装飾部材と、
からなり、
前記第１の着脱部及び第２の着脱部は、夫々、前記棒状部材の外周面を覆い、その内径が該外周面における該棒状部材の径以下の長さを有し、且つ、その両端部の間隔が該棒状部材を通過させることが可能な長さに変化するように形成された、弾性変形可能な円弧状クリップ部材からなる
ことを特徴とする着脱式装飾具。
【請求項２】
前記円弧状クリップ部材の両端部が、開き方向に曲げられていることを特徴とする請求項１に記載の着脱式装飾具。
【請求項３】
さらに、前記円弧状クリップ部材の内周面における円弧の中央部に凹みを有することを特徴とする請求項２に記載の着脱式装飾具。
【請求項４】
さらに、前記円弧状クリップ部材の外周面における幅方向中央部に円弧方向に沿って肉厚部を有することを特徴とする請求項２又は３に記載の着脱式装飾具。
【請求項５】
前記装飾部材は、前記棒状部材に対し巻き付け可能に構成されていることを特徴とする請求項１〜４のいずれかに着脱式装飾具。
【請求項６】
着脱対象となる前記棒状部材が、杖又は傘の支柱部材であることを特徴とする請求項１〜５のいずれかに記載の着脱式装飾具。
【考案の詳細な説明】
【技術分野】
【０００１】
本考案は、杖や傘の支柱、その他の棒状部材に対し着脱自在な着脱式装飾具に関する。
【背景技術】
【０００２】
近年、杖を利用するユーザが増加傾向にある。これに伴い、杖には歩行を補助する機能に加えて、ファッションの一部としての装飾的な機能が求められるようになってきている。
【０００３】
従来、杖や傘等の装飾具としては、例えば、次の特許文献１〜４に記載のものが提案されている。
【０００４】
特許文献１に記載の装飾具は、杖を包む杖カバーであって、両端に第１及び第２開口部を有する中空のカバー本体と、第２の開口部の縁に取り付けられた飾り部材とを備え、カバー本体が所定位置から第１の開口部まで順次細くなっており、杖を地面に突いてもカバーが直接地面と接触しないように構成されている。また、特許文献１に記載の装飾具は、第２の開口部へ繋がる切れ込み部と、切れ込み部の一方の縁と他方の縁を係止させるスナップボタン等の係止部材をカバー本体に備えている。そして、特許文献１に記載の装飾具は、第２の開口部から杖をカバー本体に通し、杖の先端を第１の開口部から通した後、係止部材を係止することで、杖に装着させられるようになっている。
【０００５】
特許文献２に記載の装飾具は、杖を包む筒状のカバー本体の両端内側に滑り止め部材を有するとともに、カバー本体の両端外側に締め付けベルト、折り返し用リング、雄面ファスナー、雌面ファスナーを設けている。そして、特許文献２に記載の装飾具は、杖の下部より筒状の本体カバーを杖の中部に挿入し、カバー本体の両端の夫々の折り返し用リングに締め付けベルトを通し、締め付けベルトを折り返し雄面ファスナーと雌面ファスナーを貼り合せることによって、杖に装着させられるようになっている。さらに、特許文献２に記載の装飾具は、カバー本体の内側に滑り止め部材を備え、装着状態において、滑り止め部材が杖の軸に固定されることで、カバーの杖からのずれ落ちを防止するようになっている。
【０００６】
特許文献３に記載の装飾具は、傘や杖の軸柄の形状に沿って屈曲する袋状を呈する、所望部分に図柄の施された可撓性フィルムが加熱により熱収縮させられて軸柄表面に密着した状態で構成されている。
【０００７】
特許文献４に記載の装飾具は、プリント出力した画像データを、裏面に接着剤が塗布された未処理フィルムに転写、プロテクト加工等のラミネート処理を施して作成した完成フィルムが軸表面にほぼ一周に渡って巻き付けられ、裏面の接着剤を介して軸表面に接着された状態で構成されている。
【先行技術文献】
【特許文献】
【０００８】
【特許文献１】特開２００７−１１７１００号公報
【特許文献２】特開２００４−３４４６０１号公報
【特許文献３】特開２０００−１３５９００号公報
【特許文献４】特開２００７−２３６４２７号公報
【考案の概要】
【考案が解決しようとする課題】
【０００９】
しかし、特許文献１に記載の装飾具のように、第１及び第２開口部を有する中空のカバー本体と、第２の開口部の縁に取り付けられた飾り部材とを備え、カバー本体が所定位置から第１の開口部まで順次細くなり、また、杖を包む杖カバーのカバー本体の第２の開口部に備わる切れ込み部の一方の縁と他方の縁を係止させる係止部材で杖に装着する構成では、装飾具が大きくなりすぎる上、ユーザの着脱作業が煩雑化し、しかも、装飾具を杖に装着後、杖の使用時に装飾具が杖からずれ落ち易く、係止部材も外れ易いという問題がある。
【００１０】
また、特許文献２に記載の装飾具のように、杖の下部より筒状の本体カバーを杖の中部に挿入し、本体カバーの両端部の折り返し用リングに締め付けベルトを通し、締め付けベルトを折り返し雄面ファスナーと雌面ファスナーを貼り合せることによって、杖に装着させる構成では、ユーザの着脱作業が非常に煩雑化し、しかも、杖に装着するために必要な部材点数が多くなるという問題がある。
【００１１】
また、特許文献３に記載の装飾具のように、図柄の施された可撓性フィルムを加熱して熱収縮により密着させる構成では、ユーザの好みに応じて随時装飾を取り替えることができず、しかも、装飾が平面的なものに限定され、立体的な装飾に適用できないという問題がある。
【００１２】
また、特許文献４に記載の装飾具のように、ラミネート処理して作成した完成フィルムを軸表面にほぼ一周に渡って巻き付け、裏面に塗布された接着剤を介して軸表面に接着する構成では、杖に対して着脱可能ではあるものの、フィルムの杖からの取り外しが煩雑である上、フィルムを取り外した後に、フィルムの接着面に埃等が付着し、あるいはフィルムの表面が接着剤に接着されることによってフィルムの表面と裏面同士が貼り着いてしまい易くなる等、フィルムの保管が難しく、また、フィルムを杖に巻き付けて貼り付ける作業はユーザにとって煩雑であり、しかも、特許文献３に記載の装飾具と同様、装飾が平面的なものに限定され、立体的な装飾に適用できないという問題がある。
【００１３】
本考案は上記従来の課題に鑑みてなされたものであり、平面的、立体的な装飾の如何を問わず適用可能で、既存の杖等の棒状部材に対して、ユーザが簡単な操作で着脱でき、棒状部材の使用時においては装着のずれ落ちを防止でき、しかも、着脱のための部品構成を簡素化して製造コストも低減可能な着脱式装飾具を提供することを目的としている。
【課題を解決するための手段】
【００１４】
上記の目的を達成するために、本考案による着脱式装飾具は、棒状部材に着脱可能に形成された第１の着脱部及び第２の着脱部と、その両端を前記第１の着脱部と前記第２の着脱部とに接続された装飾部材と、からなり、前記第１の着脱部及び第２の着脱部は、夫々、前記棒状部材の外周面を覆い、その内径が該外周面における該棒状部材の径以下の長さを有し、且つ、その両端部の間隔が該棒状部材を通過させることが可能な長さに変化するように形成された、弾性変形可能な円弧状クリップ部材からなることを特徴としている。
【００１５】
また、本考案の着脱式装飾具においては、前記円弧状クリップ部材の両端部が、開き方向に曲げられているのが好ましい。
【００１６】
また、本考案の着脱式装飾具においては、さらに、前記円弧状クリップ部材の内周面における円弧の中央部に凹みを有するのが好ましい。
【００１７】
また、本考案の着脱式装飾具においては、さらに、前記円弧状クリップ部材の外周面における幅方向中央部に円弧方向に沿って肉厚部を有するのが好ましい。
【００１８】
また、本考案の着脱式装飾具においては、前記装飾部材は、前記棒状部材に対し巻き付け可能に構成されているのが好ましい。
【００１９】
また、本考案の着脱式装飾具においては，着脱対象となる前記棒状部材が、杖又は傘の支柱部材であるのが好ましい。
【考案の効果】
【００２０】
本考案によれば、平面的、立体的な装飾の如何を問わず適用可能で、既存の杖等の棒状部材に対して、ユーザが簡単な操作で着脱でき、棒状部材の使用時においては装着のずれ落ちを防止でき、しかも、着脱のための部品構成を簡素化して製造コストも低減可能な着脱式装飾具が得られる。
【図面の簡単な説明】
【００２１】
【図１】本考案の第１実施形態にかかる着脱式装飾具の構成を示す説明図で、(a)は全体図、(b)は杖のシャフト部に装着した状態を示す図である。
【図２】第１実施形態の着脱式装飾具における第１及び第２の着脱部をなす円弧状クリップ部材の構成を示す説明図で、(a)は斜視図、(b)は平面図である。
【図３】本考案の第２実施形態にかかる着脱式装飾具における第１及び第２の着脱部をなす円弧状クリップ部材の構成を示す説明図で、(a)斜視図、(b)は平面図、(c)は正面図、(d)は背面図、(e)は側面図である。
【図４】第１及び第２実施形態の着脱式装飾具に用いる装飾部材の変形例を、着脱式装飾具を杖のシャフト部に装着した状態で示す説明図で、(a)は一変形例を示す図、(b)は他の変形例を示す図である。
【考案を実施するための形態】
【００２２】
実施形態の説明に先立ち、本考案の作用効果について説明する。
本考案の着脱式装飾具は、棒状部材に着脱可能に形成された第１の着脱部及び第２の着脱部と、その両端を第１の着脱部と第２の着脱部とに接続された装飾部材と、からなり、第１の着脱部及び第２の着脱部は、夫々、棒状部材の外周面を覆い、その内径が該外周面における該棒状部材の径以下の長さを有し、且つ、その両端部の間隔が該棒状部材を通過させることが可能な長さに変化するように形成された、弾性変形可能な円弧状クリップ部材からなる。
【００２３】
本考案の着脱式装飾具のように、棒状部材に着脱可能に形成された第１の着脱部及び第２の着脱部と、その両端を第１の着脱部と第２の着脱部とに接続された装飾部材と、からなる構成とすれば、平面的、立体的な装飾の如何を問わず適用できるようになる。
また、本考案の着脱式装飾具のように、第１の着脱部及び第２の着脱部を、夫々、棒状部材の外周面を覆い、その内径が該外周面における該棒状部材の径以下の長さを有し、且つ、その両端部の間隔が該棒状部材を通過させることが可能な長さに変化するように形成された、弾性変形可能な円弧状クリップ部材からなる構成とすれば、ユーザが簡単な操作で杖等の棒状部材に着脱できる。また、第１の着脱部、第２の着脱部は、杖等の棒状部材への装着完了時には、弾性変形されていて初期形状に戻ろうとする方向に力が働き、棒状部材を強く把持するため、棒状部材の使用時における装着のずれ落ちを防止できる。さらには、着脱のための部品構成が簡素化し、製造コストも低減できる。
その結果、ユーザは、様々な態様の装飾部材を備えた複数の着脱式装飾具を予め備えておくことにより、随時、杖等の棒状部材に装着されている着脱式装飾具を、別の所望の装飾部材を備えた着脱式装飾具に簡単に交換することができるので、ファッションの一部としての装飾的な楽しみを得る機会が増大する。
【００２４】
また、本考案の着脱式装飾具において、円弧状クリップ部材の両端部を、開き方向に曲げられた構成とすれば、棒状部材への装着時には、両端部が棒状部材をガイドして両端部の間に棒状部材を導くため、棒状部材に装着し易くなる。また、棒状部材からの取り外し時には、ユーザが両端部を開き方向に押すことにより、円弧状クリッブ部材全体を、棒状部材を取り外す方向に変形させ易くなるため、棒状部材から取り外し易くなる。
【００２５】
また、本考案の着脱式装飾具において、さらに、円弧状クリップ部材の内周面における円弧の中央部に凹みを有する構成とすれば、棒状部材からの取り外し時に、ユーザが両端部を開き方向に押したときに、円弧状クリップ部材の開き方向への弾性変形する力が上記円弧の中央部の凹みに集中して円弧状クリッブ部材が開き方向に弾性変形し易くなるため、円弧状クリッブ部材全体を、棒状部材を取り外す方向により一層変形させ易くなる。
【００２６】
また、本考案の着脱式装飾具において、さらに、円弧状クリップ部材の外周面における幅方向中央部に円弧方向に沿って肉厚部を有する構成とすれば、棒状部材への装着が完了した状態において、円弧状クリップ部材の弾性変形された状態から初期形状に戻ろうとする方向に働く力が肉厚部により増強されて、棒状部材をより一層強く把持するため、棒状部材の使用時における装着のずれ落ちをより確実に防止できる。
【００２７】
また、本考案の着脱式装飾具においては、装飾部材は、例えば、蔓性植物を模した装飾物のように、棒状部材に対し巻き付け可能なものでもよいし、或いは、例えば、動物を模した人形のように、棒状部材に巻き付けずに装着するものでもよい。
【００２８】
また、本考案の着脱式装飾具においては、着脱対象となる棒状部材が、杖又は傘の支柱部材であるのが好ましいが、それ以外の棒状部材を着脱対象としてもよい。
【００２９】
以下、本考案の実施形態について、図面を用いて説明する。
第１実施形態
図１は本考案の第１実施形態にかかる着脱式装飾具の構成を示す説明図で、(a)は全体図、(b)は杖のシャフト部に装着した状態を示す図である。図２は第１実施形態の着脱式装飾具における第１及び第２の着脱部をなす円弧状クリップ部材の構成を示す説明図で、(a)は斜視図、(b)は平面図である。
【００３０】
第１実施形態の着脱式装飾具１は、図１に示すように、杖等の棒状部材２０に着脱可能に形成された第１の着脱部１１及び第２の着脱部１２と、その両端を第１の着脱部１１と第２の着脱部１２とに接続された装飾部材１３と、からなる。なお、図１(b)中、２１は杖等の棒状部材２０におけるシャフト部、２２は杖等の棒状部材２０におけるグリップ部である。
第１の着脱部１１及び第２の着脱部１２は、夫々、棒状部材２０のシャフト部２１の外周面を覆い、図２に示すように、その内径ｒ１が外周面における棒状部材２０のシャフト部２１の径ｒ２以下の長さを有し、且つ、その両端部１１、１２の間隔Ｌ１が棒状部材２０のシャフト部２１を通過させることが可能な長さに変化するように形成された、弾性変形可能な樹脂製の円弧状クリップ部材で構成されている。
また、第１の着脱部１１、第２の着脱部１２は、夫々、装飾部材１３における夫々の端部と接続するための接続部１１ｃ、１２ｃを有している。
接続部１１ｃ、１２ｃは、円弧状に形成されており、例えば、夫々の環の内部に装飾部材１３における夫々の端部に設けられた夫々の紐状部材を通し、夫々の紐状部材を結びつけることによって装飾部材１３における夫々の端部と接続している。なお、接続部１１ｃ、１２ｃは、図１及び図２に示した形状及び構成に限定されるものではなく、装飾部材１３における夫々の端部と接続するものであれば、どのような形状及び構成であってもよい。また、接続部１１、１２は、装飾部材１３における夫々の端部と、接着剤、ネジ等の固着具、チェーン状の連結具を介して接続されていてもよく、或いは、装飾部材１３における夫々の端部と、射出成形により一体化されていてもよい。
【００３１】
また、図１の例では、装飾部材１３は、棒状部材２０に対し巻き付け可能な蔓状の植物を模した部材で構成されている。
【００３２】
このように構成された第１実施形態の着脱式装飾具１を、棒状部材２０に装着する場合、先ず、ユーザは、棒状部材２０のシャフト部２１における、装着を所望する範囲の一端をなす所定位置において、第１の着脱部１１の端部１１ａ，１１ｂをシャフト部２１に向けて押し込む。すると、端部１１ａ，１１ｂはシャフト部２１に押されて開き方向に変形しながら、シャフト部２１の奥側に進行する。そして、第１の着脱部１１のシャフト部２１への押し込みが所定量進むと、第１の着脱部１１は内周面がシャフト部２１の外周面に密着し、端部１１ａ，１１ｂは開き方向から幾分、閉じ方向に戻る。これにより、第１の着脱部１１は、棒状部材２０に固定状態に取り付けられる。このとき、第１の着脱部１１は、その内径ｒ１が、第１の着脱部１１を装着した部位の外周面における棒状部材２０のシャフト部２１の径ｒ２以下の長さを有している。このため、第１の着脱部１１は、棒状部材２０への装着完了時には、弾性変形されていて、初期形状に戻ろうとする方向に力が働き、棒状部材２０のシャフト部２１を強く把持する。
次いで、ユーザは、装飾部材１３を棒状部材２０のシャフト部２１に所望範囲にわたり巻き着ける。
次いで、ユーザは、棒状部材２０のシャフト部２１における、装着を所望する範囲の他端をなす所定位置において、第２の着脱部１２の端部１２ａ，１２ｂをシャフト部２１に向けて押し込む。すると、端部１２ａ，１２ｂはシャフト部２１に押されて開き方向に変形しながら、シャフト部２１の奥側に進行する。そして、第２の着脱部１２のシャフト部２１への押し込みが所定量進むと、第２の着脱部１２は内周面がシャフト部２１の外周面に密着し、端部１２ａ，１１ｂは開き方向から幾分、閉じ方向に戻る。これにより、第２の着脱部１２は、棒状部材２０に固定状態に取り付けられる。このとき、第２の着脱部１２は、その内径ｒ１が、第２の着脱部１２を装着した部位の外周面における棒状部材２０のシャフト部２１の径ｒ２以下の長さを有している。このため、第２の着脱部１２は、棒状部材２０への装着完了時には、弾性変形されていて、初期形状に戻ろうとする方向に力が働き、棒状部材２０のシャフト部２１を強く把持する。
これにより、第１実施形態の着脱式装飾具１の、棒状部材２０への装着が完了する。図１(b)はそのような状態を示している。
なお、上述した手順において、第１の着脱部１１と第２の着脱部１２の棒状部材２０に装着する順序は、逆であってもよい。
【００３３】
また、第１実施形態の着脱式装飾具１を、棒状部材２０から取り外す場合、先ず、ユーザは、第１の着脱部１１の外周部又は接続部１１ｃを把持しながら、棒状部材２０から離脱する方向に引っ張る。すると、端部１１ａ，１１ｂはシャフト部２１に押されて開き方向に変形しながら、シャフト部２１の手前側に進行する。そして、第１の着脱部１１の棒状部材２０のシャフト部２１からの離脱が所定量進むと、第１の着脱部１１は内周面がシャフト部２１の外周面から完全に離れ、端部１１ａ，１１ｂは開き方向から初期状態まで、閉じ方向に戻る。
次いで、ユーザは、棒状部材２０のシャフト部２１に所定範囲にわたり巻き着いていた装飾部材１３の巻き着きを解く。
次いで、ユーザは、第２の着脱部１２の外周部又は接続部１２ｃを把持しながら、棒状部材２０から離脱する方向に引っ張る。すると、端部１２ａ，１２ｂはシャフト部２１に押されて開き方向に変形しながら、シャフト部２１の手前側に進行する。そして、第２の着脱部１２の棒状部材２０のシャフト部２１からの離脱が所定量進むと、第２の着脱部１２は内周面がシャフト部２１の外周面から完全に離れ、端部１２ａ，１２ｂは開き方向から初期状態まで、閉じ方向に戻る。
これにより、第１実施形態の着脱式装飾具１の、棒状部材２０からの取り外しが完了する。
なお、上述した手順において、第１の着脱部１１と第２の着脱部１２の棒状部材２０から取り外す順序は、逆であってもよい。
【００３４】
第１実施形態の着脱式装飾具１によれば、棒状部材２０に着脱可能に形成された第１の着脱部１１及び第２の着脱部１２と、その両端を第１の着脱部１１と第２の着脱部１２とに接続された装飾部材１３と、からなる構成としたので、平面的、立体的な装飾の如何を問わず適用できる。
また、第１実施形態の着脱式装飾具１によれば、第１の着脱部１１及び第２の着脱部１２を、夫々、棒状部材２０のシャフト部２１の外周面を覆い、その内径ｒ１が外周面における棒状部材２０のシャフト部２１の径ｒ２以下の長さを有し、且つ、その両端部１１ａ，１１ｂ、１２ａ,１２ｂの間隔Ｌ１が棒状部材２０を通過させることが可能な長さに変化するように形成された、弾性変形可能な円弧状クリップ部材からなる構成としたので、ユーザが簡単な操作で杖等の棒状部材２０に着脱できる。また、第１の着脱部１１、第２の着脱部１２は、杖等の棒状部材２０への装着完了時には、弾性変形されていて初期形状に戻ろうとする方向に力が働き、棒状部材２０を強く把持するため、棒状部材２０の使用時における装着のずれ落ちを防止できる。さらには、着脱のための部品構成が簡素化し、製造コストも低減できる。
その結果、ユーザは、様々な態様の装飾部材１３を備えた複数の着脱式装飾具１を予め備えておくことにより、随時、杖等の棒状部材２０に装着されている着脱式装飾具１を、別の所望の装飾部材１３を備えた着脱式装飾具１に簡単に交換することができるので、ファッションの一部としての装飾的な楽しみを得る機会が増大する。
【００３５】
第２実施形態
図３は本考案の第２実施形態にかかる着脱式装飾具における第１及び第２の着脱部をなす円弧状クリップ部材の構成を示す説明図で、(a)斜視図、(b)は平面図、(c)は正面図、(d)は背面図、(e)は側面図である。
第２実施形態の着脱式装身具は、第１の着脱部１１、第２の着脱部１２を夫々構成する夫々の円弧状クリップ部材の両端部１１ａ，１１ｂ、１２ａ，１２ｂが、開き方向に曲げられている。
また、第２実施形態の着脱式装身具は、さらに、第１の着脱部１１、第２の着脱部１２を夫々構成する夫々の円弧状クリップ部材の内周面における円弧の中央部に凹み１１ｄ、１２ｄを有している。
また、第２実施形態の着脱式装身具は、さらに、第１の着脱部１１、第２の着脱部１２を夫々構成する夫々の円弧状クリップ部材の外周面における幅方向中央部に円弧方向に沿って肉厚部１１ｅ、１２ｅを有している。
その他の構成は、第１実施形態の着脱式装飾具１と略同じである。
【００３６】
第２実施形態の着脱式装着具によれば、第１の着脱部１１、第２の着脱部１２を夫々構成する夫々の円弧状クリップ部材の両端部１１ａ，１１ｂ、１２ａ，１２ｂを、開き方向に曲げられた構成としたので、棒状部材２０への装着時には、両端部１１ａ，１１ｂ、１２ａ，１２ｂが棒状部材２０をガイドして両端部１１ａ，１１ｂ、１２ａ，１２ｂの間に棒状部材２０を導くため、棒状部材２０に装着し易くなる。また、棒状部材２０からの取り外し時には、ユーザが両端部１１ａ，１１ｂ、１２ａ，１２ｂを開き方向に押すことにより、円弧状クリッブ部材全体を、棒状部材２０を取り外す方向に変形させ易くなるため、棒状部材２０から取り外し易くなる。
【００３７】
また、第２実施形態の着脱式装着具によれば、さらに、第１の着脱部１１、第２の着脱部１２を夫々構成する夫々の円弧状クリップ部材の内周面における円弧の中央部に凹み１１ｄ、１２ｄを有する構成としたので、棒状部材２０からの取り外し時に、ユーザが両端部１１ａ，１１ｂ、１２ａ,１２ｂを開き方向に押したときに、円弧状クリップ部材の開き方向への弾性変形する力が円弧の中央部の凹み１１ｄ、１２ｄに集中して円弧状クリッブ部材が開き方向に弾性変形し易くなる。このため、円弧状クリッブ部材全体を、棒状部材２０を取り外す方向により一層変形させ易くなる。
【００３８】
また、第２実施形態の着脱式装着具によれば、さらに、第１の着脱部１１、第２の着脱部１２を夫々構成する夫々の円弧状クリップ部材の外周面における幅方向中央部に円弧方向に沿って肉厚部１１ｅ、１２ｅを有する構成としたので、棒状部材２０への装着が完了した状態において、円弧状クリップ部材の弾性変形された状態から初期形状に戻ろうとする方向に働く力が肉厚部１１ｅ、１２ｅにより増強されて、棒状部材２０をより一層強く把持する。このため、棒状部材２０の使用時における装着のずれ落ちをより確実に防止できる。
その他の作用効果は、第１実施形態の着脱式装飾具１と略同じである。
【００３９】
以上、本考案の実施形態を説明したが、本考案の着脱式装飾具は、上記各実施形態の構成に限定されるものではない。
例えば、上記実施形態では、装飾部材１３を、棒状部材２０に対し巻き付け可能な蔓状の植物を模した部材で構成したが、本考案の着脱式装飾具における装飾部材１３は、例えば、図４(a)に示す動物を模した人形のように、棒状部材２０に巻き付けずに装着するものであってもよい。図４(a)の例の装飾部材１３は、手及び脚を伸ばして背伸びした格好にした動物のぬいぐるみ人形であり、手及び脚の夫々の先端が、第１の着脱部１１（の接続部）、第２の着脱部１２（の接続部）に接続されている。図４(a)の例の装飾部材１３は、動物好きなユーザに有用である。図４(a)の例の装飾部材１３を備えた着脱式装飾具１を例えば杖に装着することで、ユーザは杖の使用時に、ペットを連れて散歩するような気分を楽しむことが出来る。
【００４０】
また、本考案の着脱式装飾具における装飾部材１３は、例えば、巻き付け可能な構成の他の例として、図４(b)に示すように、一色又は多色の多数のＬＥＤライトを備えるとともに電池等の電源を備えた電線を備えて構成してもよい。図４(b)の例の装飾部材１３は、クリスマスのシーズンに有用である。図４(b)の例の装飾部材１３を備えた着脱式装飾具１を例えば杖に装着することで、ユーザは杖の使用時に、例えば、クリスマスの雰囲気を楽しむことが出来る。また、点灯するＬＥＤが、暗い夜道を歩く際の照明にもなる。
また、上記各実施形態では、装飾部材１３を立体的な部材で構成したが、本考案の着脱式装飾具における装飾部材１３は、例えば、棒状部材２０に巻き付けることが可能な図案が印刷された平面状のシートで構成してもよい。
【００４１】
また、例えば、第２実施形態の着脱式装飾具における第１及び第２の着脱部１１、１２は、凹み１１ｄ、１２ｄと、肉厚部１１ｅ、１２ｅのうちのいずれか一方を備えた構成であってもよく、或いは凹み１１ｄ、１２ｄと、肉厚部１１ｅ、１２ｅの両方を備えない構成であってもよい。
さらに、例えば、第１実施形態の着脱式装飾具１における第１及び第２の着脱部１１、１２は、第２実施形態の着脱式装飾具における第１及び第２の着脱部１１、１２に備わる凹み１１ｄ、１２ｄと、肉厚部１１ｅ、１２ｅのうちのいずれか一方を備えた構成であってもよく、或いは凹み１１ｄ、１２ｄと、肉厚部１１ｅ、１２ｅの両方を備えた構成であってもよい。
【００４２】
また、上記各実施形態の着脱式装飾具においては、着脱対象となる棒状部材２０は、杖又は傘の支柱部材であるのが好ましいが、それ以外の棒状部材２０を着脱対象としてもよい。
【産業上の利用可能性】
【００４３】
本考案の着脱式装飾具は、杖や傘のシャフト部や柄の他にも、棒状部材に平面的、立体的な装飾を施し、且つ、装飾を取り替えて使用することが必要とされるあらゆる分野に有用である。
【符号の説明】
【００４４】
１            着脱式装飾具
１１          第１の着脱部（円弧状クリップ部材）
１１ａ、１１ｂ、１２ａ、１２ｂ    端部
１１ｃ、１２ｃ    接続部
１１ｄ、１２ｄ    凹み
１１ｅ、１２ｅ    肉厚部
１２          第２の着脱部（円弧状クリップ部材）
１３          装飾部材
２０          杖
２１          シャフト部
２２          グリップ部
【図１】
0003195075.tif 000003
【図２】
0003195075.tif 000004
【図３】
0003195075.tif 000005
【図４】
0003195075.tif 000006